(57)【特許請求の範囲】
【請求項１】
回転リールと、
この回転リールを回転させる駆動源と、
クレジットメダルを投入させるクレジット投入スイッチと、
このクレジット投入スイッチの投入が、前回のクレジット投入スイッチの投入からあらかじめ設定された第１の所定時間の経過後のクレジット投入スイッチの投入であり、かつクレジット投入スイッチがあらかじめ設定された第２の所定時間継続して操作されたことを条件に、スタート信号を出力するスタート信号自動発生手段と、
このスタート信号自動発生手段からのスタート信号にもとづいて、前記駆動源の駆動を開始させるリール駆動制御手段とを備えたことを特徴とするスロットマシン。
【請求項２】
リール駆動制御手段にスタート信号を出力するスタートスイッチを、クレジット投入スイッチとは別個に設け、回転開始操作を任意に選択可能に形成したことを特徴とする請求項１記載のスロットマシン。
【発明の詳細な説明】
【０００１】
【産業上の利用分野】
この発明は、スロットマシンに関し、特に遊技メダルを投入するクレジット投入スイッチを操作することにより、回転リールの回転を開始できるようにしたものである。
【０００２】
【従来の技術】
従来、この種のスロットマシンとしては、クレジット投入スイッチとは別個に設けられたスタートスイッチを操作することにより、回転リールの回転を開始させるものが知られている。
【０００３】
【発明が解決しようとする課題】
しかし、上記した従来のスロットマシンでは、クレジット投入スイッチを操作した後に、回転リールを回転させるためには、クレジット投入スイッチとは別個に設けられたスタートスイッチを操作しなければならず、回転リールの回転開始が面倒で時間がかかるといった問題点があった。
【０００４】
そこで、請求項１及び２記載のスロットマシンは、上記した従来の技術の有する問題点に鑑みてなされたものであり、その目的とするところは、クレジット投入スイッチに、回転リールの回転を開始させるスタートスイッチとしての機能をも持たせることにより、回転リールの回転開始を簡便に且つ迅速に行うことを可能とするスロットマシンを提供しようとするものである。
【０００５】
これに加え、請求項２記載のスロットマシンでは、回転リールのスタート方法を任意に選択することを可能とするスロットマシンを提供しようとするものである。
【０００６】
【課題を解決するための手段】
本発明は、上記した目的を達成するためのものであり、以下にその内容を図面に示した実施例を用いて説明する。
請求項１記載のスロットマシンは、回転リール(11〜13)と、この回転リール(11〜13)を回転させる駆動源(50)と、クレジットメダルを投入させるクレジット投入スイッチ(26)と、このクレジット投入スイッチ(26)の投入が前回のクレジット投入スイッチ(26)の投入からあらかじめ設定された第１の所定時間の経過後のクレジット投入スイッチ(26)の投入であり、かつクレジット投入スイッチ(26)があらかじめ設定された第２の所定時間継続して操作されたことを条件に、スタート信号を出力するスタート信号自動発生手段(36)と、このスタート信号自動発生手段(36)からのスタート信号にもとづいて、前記駆動源(50)の駆動を開始させるリール駆動制御手段(35)とを備えたことを特徴とする。
【０００７】
請求項２記載のスロットマシンは、上記した請求項１記載の特徴点に加え、リール駆動制御手段(35)にスタート信号を出力するスタートスイッチ(25)を、クレジット投入スイッチ(26)とは別個に設けたことを特徴とする。
【０００８】
【作  用】
したがって、請求項１記載のスロットマシンによれば、クレジットモードにおいては、クレジット投入スイッチ(26)を操作することにより、回転リール(11〜13)の回転を開始させることができる。
具体的には、全ての回転リール(11〜13)が停止している状態においてクレジット投入スイッチ(26)が操作されると、クレジットメダルが投入される。このクレジット投入スイッチ(26)の投入が前回のクレジット投入スイッチ(26)の投入からあらかじめ設定された第１の所定時間の経過後のクレジット投入スイッチ(26)の投入であり、かつクレジット投入スイッチ(26)があらかじめ設定された第２の所定時間継続して操作されたことを条件に、スタート信号自動発生手段(36)からスタート信号が出力され、このスタート信号にもとづいて、リール駆動制御手段(35)により駆動源(50)が駆動され、回転リール(11〜13)の回転が開始される。
【０００９】
請求項２記載のスロットマシンによれば、上記したようなクレジット投入スイッチ(26)による回転リール(11〜13)の回転開始に加えて、クレジット投入スイッチ(26)によるクレジットメダルの投入後、クレジット投入スイッチ(26)とは別個に設けた、スタートスイッチ(25)を操作することによっても回転リール(11〜13)の回転を開始することができる。
【００１０】
【実施例】
図１〜３は、本発明の一実施例を示すものであり、図１はそのブロック図、図２はスロットマシンの概略正面図、図３はスロットマシンの動作を説明するためのフローチャートを各々示す。
図２中、10は、スロットマシンを示すものであり、このスロットマシン10は、その前面中央に、３個の回転リール11〜13が配置され、その前面板14には、計５本の賞ライン15〜19が表示されている。賞ライン15〜19は、上中下段の３本の賞ライン15〜17と、×点状に中央で交わった２本の賞ライン18,19とから構成されている。
【００１１】
上記３個の回転リール11〜13の右斜め下側には、図２に示すように、メダル投入口20が配置されている。
前記中段の賞ライン16の左側には、図２に示すように、メダル投入口20から投入されたメダルのクレジット枚数を表示する、７セグメントの二桁の表示部21が設けられている。
【００１２】
前記３個の回転リール11〜13の下側には、図２に示すように、回転リール11〜13にそれぞれ対応させて、各回転リール11〜13を個別に停止させるための３個のストップスイッチ22〜24がそれぞれ設けられている。
上記３個のストップスイッチ22〜24の左側には、図２に示すように、３個の回転リール11〜13を回転させるための、レバー状のスタートスイッチ25が設けられている。
【００１３】
上記スタートスイッチ25の左斜め上方には、図２に示すように、クレジットメダルを遊技メダルとして、機内に投入するためのクレジット投入スイッチ26が設けられている。
上記クレジット投入スイッチ26の下方には、図２に示すように、クレジットメダルを清算するための円形の清算スイッチ27が設けられている。
【００１４】
また、スロットマシン10の前面下方には、図２に示すように、メダル排出口28が設けられている。
つぎに図１を用いて、スロットマシン10の制御回路について説明する。
スロットマシン10の制御回路は、図１に示すように、例えばＣＰＵから構成された中央制御装置30を中心に構成されている。
【００１５】
そして、中央制御装置30の入力側には、図１に示すように、メダル投入口20から投入されたメダルを一枚宛検出し、投入メダル検出信号を出力するマイクロスイッチ等のメダル検出手段40と、クレジットされたクレジットコインを機内に投入するためのクレジット投入信号を出力する前記クレジット投入スイッチ26と、回転リール11〜13の回転を開始するためのスタート信号を出力する前記スタートスイッチ25と、回転リール11〜13の回転を個別に停止させるためのストップ信号をそれぞれ出力する３個のストップスイッチ22〜24とがそれぞれ接続されている。
【００１６】
また、中央制御装置30の出力側には、図１に示すように、３個の回転リール11〜13を個別に回転駆動させる駆動源50が接続されている。
前記中央制御装置30は、図１に示すように、メダル検出手段40からの投入メダル検出信号にもとづいて投入メダル数を計数する投入メダル計数手段31と、この投入メダル計数手段31により計数された投入メダルを、遊技メダルとして機内に投入可能な最大投入枚数、例えば通常遊技においては「３」枚まで、ボーナスゲーム中１枚遊技においては「１」枚までを計数する遊技メダル計数手段32と、前記投入メダル計数手段31の計数値が最大遊技メダル数、例えば通常ゲーム中は「３」枚を越えた場合に、クレジットモードと判定し、最大遊技メダル数を越えて投入された投入メダル数をクレジットメダルとして計数するクレジットメダル計数手段33と、前記クレジット投入スイッチ26からのクレジット投入信号にもとづいて、前記クレジットメダル計数手段33の計数値から「１」を減算させる減算信号をクレジットメダル計数手段33に出力するクレジットメダル減算手段34と、前記スタートスイッチ25からのスタート信号にもとづいて、駆動源50の駆動を開始させるとともに、ストップスイッチ22〜24からのストップ信号にもとづいて、各回転リール11〜13の回転を停止させるリール駆動制御手段35と、前記クレジット投入スイッチ26が第２の所定時間、例えば２秒間継続して操作されたことを条件に、各回転リール11〜13の回転を開始させるスタート信号を、リール駆動制御手段35に出力するスタート信号自動発生手段36とを備える。
【００１７】
なお、上記クレジットメダル計数手段33は、クレジットメダル減算手段34からの減算信号を入力すると、その計数値から「１」を減算する。同時に、クレジットメダル計数手段33からは、遊技メダル計数手段32に、遊技メダル計数手段32の計数値に「１」を加算させるための加算信号が出力され、遊技メダル計数手段32が加算信号を入力すると、その計数値に「１」を加算させる。
【００１８】
また、スタート信号自動発生手段36に設定された第２の所定時間を、例えば２秒間に設定したのは、誤操作とゲームの迅速性を考慮したものである。すなわち、例えば２秒より短くすると、クレジットメダルを遊技メダルとして投入するためだけに、クレジット投入スイッチ26が操作されたのか、或いは遊技メダルの投入後、自動スタートさせるために、クレジット投入スイッチ26が操作されたのかの判定が困難になるためである。これに対し、例えば２秒間より長くすると、スタート操作、ひいてはゲーム全体の迅速性に欠けるためである。もちろん、第２の所定時間を、例えば２秒間前後や、２秒間より長く、例えば３秒以上、逆に短く、例えば１秒以下に設定することも可能である。
つぎに、本発明の一実施例におけるスロットマシン10のクレジット投入からリール回転開始までの動作を、図３を用いて説明する。
【００１９】
まず、ステップ60においては、図３に示すように、クレジット投入スイッチ26が押された直後か否かが判定される。この判定は、中央制御装置30によって行われ、中央制御装置30においては、クレジット投入スイッチ26のオン・オフが監視されている。クレジット投入スイッチ26が押された直後とは、クレジット投入スイッチ26がオフからオンに変換した時点から、前記スタート信号自動発生手段36に設定された第１の所定時間、例えば２秒間に満たない時間、例えば１秒間程度を意味する。
【００２０】
上記ステップ60において、クレジット投入スイッチ26が押された直後と判定されない場合、例えばクレジット投入スイッチ26がオフ状態を維持している場合や、クレジット投入スイッチ26のオンの変換時点から例えば１秒を経過している場合には、図３に示すように、ステップ61に進む。このステップ61では、クレジット投入スイッチ26が第２の所定時間、例えば２秒間押され続けているか否かが判定される。この判定は、図１に示すように、中央制御装置30のスタート信号自動発生手段36において行われる。
【００２１】
上記ステップ61において、クレジット投入スイッチ26が２秒間押され続けていると判定された場合には、図３に示すように、ステップ62に進む。このステップ62では、回転リール11〜13の回転開始の処理が行われる。
すなわち、クレジット投入スイッチ26が２秒間押され続けると、図１に示すように、スタート信号自動発生手段36からリール駆動制御手段35にスタート信号が出力される。リール駆動制御手段35は、スタート信号を入力すると、駆動源50の駆動を開始させる。このため、駆動源50の駆動力により、３個の回転リール11〜13の回転が開始される。
【００２２】
上記ステップ62の処理終了後、図３に示すように、当該ループを抜ける。
したがって、クレジットメダルを３枚、遊技メダルとして投入した直後に、ゲームを開始させたい場合には、クレジット投入スイッチ26を２回通常の間隔で押し、その後第１の所定時間（例えば２秒間、あるいは１秒間）経過後に押す３回目には、クレジット投入スイッチ26を通常より長く、例えば２秒以上押し続ければ、スタートスイッチ25を押すことなく、回転リール11〜13の回転を開始できる。
【００２３】
また、クレジットメダルを２枚だけ、遊技メダルとして投入した直後に、ゲームを開始させたい場合には、クレジット投入スイッチ26を押し、その後第１の所定時間（例えば２秒間、あるいは１秒間）経過後に押す２回目にクレジット投入スイッチ26を通常より長く押し続ければよい。さらに、クレジットメダルを１枚だけ、遊技メダルとして投入した直後に、ゲームを開始させたい場合には、１回目にクレジット投入スイッチ26を通常より長く押し続ければよい。
【００２４】
一方、先のステップ60において、クレジット投入スイッチ26が押された直後と判定された場合、例えばクレジット投入スイッチ26のオンの変換時点から例えば１秒を経過前の間には、図３に示すように、ステップ63に進む。このステップ63では、クレジットされているメダルが有るか否かが判定される。この判定は、図１に示した中央制御装置30において行われ、そのクレジットメダル計数手段33の計数値により、クレジットメダルの有無が判定される。すなわち、クレジットメダル計数手段33の計数値が「１」以上で有れば、クレジットメダルが「有」と判断され、「１」未満であるならば「無」と判定される。
【００２５】
上記ステップ63において、クレジットされているメダルが有ると判定された場合には、図３に示すように、ステップ64に進む。このステップ64においては、クレジットされているメダルが１枚だけ遊技メダルに移行される。すなわち、図１に示すように、中央制御装置30のクレジットメダル減算手段34は、クレジット投入スイッチ26からのクレジット投入信号を入力すると、クレジットメダル計数手段33に減算信号を入力する。クレジットメダル計数手段33は減算信号を入力すると、その計数値から「１」を減算するとともに、遊技メダル計数手段32に加算信号を出力する。遊技メダル計数手段32は加算信号を入力すると、その計数値に「１」を加算させる。
【００２６】
上記ステップ64の処理終了、図３に示すように、ステップ65に進む。このステップ65においては、遊技メダルが有るか否かが判定される。この判定は、図１に示した中央制御装置30において行われ、その遊技メダル計数手段32の計数値により、遊技メダルが有るか否かが判定される。すなわち、遊技メダル計数手段32の計数値が「１」以上で有れば、遊技メダルが「有」と判断され、「１」未満であるならば「無」と判定される。
【００２７】
上記ステップ65において、遊技メダルが有ると判定された場合には、図３に示すように、ステップ66に進む。このステップ66においては、スタートスイッチ25がオンとされた否かが判定される。この判定も、図１に示すように、中央制御装置30において行われる。
上記ステップ66において、スタートスイッチ25がオンとされたと判定された場合には、図３に示すように、ステップ67に進む。このステップ67では、回転リール11〜13の回転開始の処理が行われる。
【００２８】
すなわち、スタートスイッチ25がオンとされると、図１に示すように、スタートスイッチ25からリール駆動制御手段35にスタート信号が直接、出力される。リール駆動制御手段35は、スタート信号を入力すると、駆動源50の駆動を開始させる。このため、駆動源50の駆動力により、３個の回転リール11〜13の回転が開始される。
【００２９】
上記ステップ67の処理終了後、図３に示すように、当該ループを抜ける。
したがって、クレジット投入スイッチ26を通常より長く、例えば２秒以上押し続けることなく、スタートスイッチ25を単に操作することによっても、回転リール11〜13の回転を開始できる。
一方、先のステップ61において、クレジット投入スイッチ26が２秒間押され続けていると判定されない場合、例えばクレジット投入スイッチ26が押されて間もなく、例えば２秒に満たない１秒間程度で離された場合や、オフ状態が維持されている場合には、図３に示すように、ステップ65に進む。
【００３０】
また、先のステップ63において、クレジットされているメダルが無いと判定された場合にも、図３に示すように、同様にステップ65に進む。
一方、先のステップ65において、遊技メダルが無いと判定された場合には、図３に示すように、当該ステップを抜ける。
また、先のステップ66において、スタートスイッチ25がオンとされたと判定されない場合には、図３に示すように、同様に当該ステップを抜ける。
【００３１】
【発明の効果】
本発明は、以上のように構成されているので、以下に記載されるような効果を奏する。
請求項１又は２記載のスロットマシンによれば、回転リールの回転開始を簡便に且つ迅速に行うことができる操作性に優れたスロットマシンを提供することができる。
【００３２】
これに加え、請求項２記載のスロットマシンによれば、回転リールのスタート方法を任意に選択可能なスロットマシンを提供することができる。
【図面の簡単な説明】
【図１】本発明の実施例に係るスロットマシンを示すブロック図である。
【図２】同スロットマシンの概略正面図である。
【図３】同スロットマシンの動作を説明するためのフローチャートである。
【符号の説明】
10      スロットマシン            11〜13  回転リール
14      前面板                    15〜19  賞ライン
20      メダル投入口              21      表示部
22〜24  ストップスイッチ         25      スタートスイッチ
26      クレジット投入スイッチ    27      清算スイッチ
28      メダル排出口              30      中央制御装置
31      メダル計数手段            32      遊技メダル計数手段
33      クレジットメダル計数手段  34      クレジットメダル減算手段
35      リール駆動制御手段        36      スタート信号自動発生手段
40      メダル検出手段            50      駆動源
【図１】
0003609434.tif 000002
【図２】
0003609434.tif 000003
【図３】
0003609434.tif 000004